【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
分析検査計であって、
ハウジングと、
複数の分析検査構造体を包含し、前記ハウジングの内部空間に保持されているカートリッジと、
一組の機械的部品とを備え、その機械的部品は、
分析検査構造体を前記カートリッジから前進させるプッシャーと、
スロットであり、前記プッシャーにより分析検査構造体が前記スロットの第１の端部へ進められた際に、前記分析検査構造体を保持するスロットと、
前記分析検査構造体が前記スロット内に保持されているときに、前記分析検査構造体を前記検査計へ電気的に接続する電気コネクタであり、前記スロット内に保持されている前記分析検査構造体に接触する流体サンプルの検体レベルを測定可能な電気コネクタとを含み、
前記スロットは、計測が完了した後は前記検査計から前記分析検査構造体を廃棄するために前記スロットの第２の端部から前記分析検査構造体を排出することを可能とする分析検査計。
【請求項２】
請求項１の検査計において、前記プッシャーは可撓片の材料からなる検査計。
【請求項３】
請求１の検査計において、前記プッシャーは、チェーンと、前記分析検査構造体に接触する端部片とを含む検査計。
【請求項４】
請求１の検査計において、
前記はハウジング内の屈曲した内壁を更に備え、前記分析検査構造体を進めるときには、前記プッシャーは、前記屈曲した内面の周りで曲がる検査計。
【請求項５】
請求１の検査計において、前記プッシャーが前記ハウジングの寸法に沿って延出し、且つ前記分析構造体を進めるときに前記ハウジングの一つ以上のコーナーの周りで曲がる検査計。
【請求項６】
請求１の検査計において、前記プッシャーがコイルから巻回及び巻き戻される検査計。
【請求項７】
請求１の検査計において、前記プッシャーが前記ハウジング内の屈曲した行路に沿って移動する検査計。
【請求項８】
請求１の検査計において、前記カートリッジが、前記一組の部品に対して前記ハウジング内で相対的に位置決め可能な少なくとも一つの案内レールを含む検査計。
【請求項９】
請求項１の検査計において、
前記前記カートリッジ内の複数の分析検査構造体が概ね外気に晒されないように維持するシールを更に備えると共に、前記分析検査計が、前記分析検査構造体の前記スロットへの前進を一時的に可能とするように前記シールを解除する検査計。
【請求項１０】
請求項９の検査計において、前記シールが前記カートリッジと前記タブとの間にあり、前記シールの解除が前記タブを前記カートリッジから離すように移動させることを含む検査計。
【請求項１１】
請求項１の検査計において、
前記カートリッジの装填端部おいて、前記複数の分析検査構造体を前記カートリッジの調合端部へ向かって偏倚させる偏倚部材を更に備える検査計。
【請求項１２】
請求項１の検査計において、
ランセットを切開部位へ接触させるように進める機械的部品を更に備える検査計。
【請求項１３】
請求項１の検査計において、
前記検体レベルは、グルコース又はケトン体のレベルを含む検査体。
【請求項１４】
請求項１の検査計において、
前記一組の部品は更に前記分析検査計内の一つ以上の部品を駆動する少なくとも一つのモータを含む検査体。
【請求項１５】
請求項１４の検査計において、
前記少なくとも一つのモータに関連して、駆動される各々の部品の位置及び速度を決定する複数の光電エンコーダを更に備える検査体。
【請求項１６】
請求項１５の検査計において
要素により横断される経路に沿って前記ハウジング内に位置する複数のセンサを更に備えると共に、前記エンコーダ及びセンサは、閉ループ制御システム内で機能する検査計。
【請求項１７】
分析検査計に使用される一組の機械的部品であって、この一組の機械的部品は、
分析検査計内に保管されて複数の分析検査構造体を包含するカートリッジから分析検査構造体を前進させるプッシャーと、
分析検査構造体が前記プッシャーにより前記スロットの第１の端部へ進められた際に、前記分析検査構造体を保持するスロットと、
前記分析検査構造体が前記スロット内に保持されているときに、前記分析検査構造体を前記検査計へ電気的に接続する電気コネクタであり、前記スロット内に保持されている前記分析検査構造体に接触する流体サンプルの検体レベルを測定可能な電気コネクタとを含み、
前記スロットは、計測が完了した後は前記検査計から前記分析検査構造体を廃棄するために前記スロットの第２の端部から前記分析検査構造体を排出することを可能とする分析検査計。
【請求項１８】
請求項１７の一組の機械的部品において、前記プッシャーは可撓片の材料からなる一組の機械的部品。
【請求項１９】
請求１７の一組の機械的部品において、前記プッシャーは、チェーンと、前記分析検査構造体に接触する端部片とを含む一組の機械的部品。
【請求項２０】
請求１７の一組の機械的部品において、
前記はハウジング内の屈曲した内壁を更に備え、前記分析検査構造体を進めるときには、前記プッシャーは、前記屈曲した内面の周りで曲がる一組の機械的部品。
【請求項２１】
請求１７の一組の機械的部品において、前記プッシャーが前記ハウジングの寸法に沿って延出し、且つ前記分析構造体を進めるときに前記ハウジングの一つ以上のコーナーの周りで曲がる一組の機械的部品。
【請求項２２】
請求１７の検査計において、前記プッシャーがコイルから巻回及び巻き戻される一組の機械的部品。
【請求項２３】
請求１７の一組の機械的部品において、前記プッシャーが前記ハウジング内の屈曲した行路に沿って移動する一組の機械的部品。
【請求項２４】
請求１７の一組の機械的部品において、前記カートリッジが、前記一組の部品に対して前記ハウジング内で相対的に位置決め可能な少なくとも一つの案内レールを含む一組の機械的部品。
【請求項２５】
請求項１７の一組の機械的部品において、
前記前記カートリッジ内の複数の分析検査構造体が外気に晒されないように概ね維持するシールを更に備えると共に、前記分析検査計が、前記分析検査構造体の前記スロットへの前進を一時的に可能とするように前記シールを解除する一組の機械的部品。
【請求項２６】
請求項２５の一組の機械的部品において、前記シールが前記カートリッジと前記タブとの間にあり、前記シールの解除が前記タブを前記カートリッジから離すように移動させることを含む一組の機械的部品。
【請求項２７】
請求項１７の一組の機械的部品において、
前記カートリッジの装填端部おいて、前記複数の分析検査構造体を前記カートリッジの調合端部へ向かって偏倚させる偏倚部材を更に備える一組の機械的部品。
【請求項２８】
請求項１７の一組の機械的部品において、
ランセットを切開部位へ接触させるように進める機械的部品を更に備える一組の機械的部品。
【請求項２９】
請求項１７の一組の機械的部品において、
前記検体レベルは、グルコース又はケトン体のレベルを含む一組の機械的部品。
【請求項３０】
請求項１７の一組の機械的部品において、
前記一組の部品は更に前記分析検査計内の一つ以上の部品を駆動する少なくとも一つのモータを含む一組の機械的部品。
【請求項３１】
請求項３０の一組の機械的部品において、
前記少なくとも一つのモータに関連して、駆動される各々の部品の位置及び速度を決定する複数の光電エンコーダを更に備える一組の機械的部品。
【請求項３２】
請求項３１の一組の機械的部品において
要素により横断される経路に沿って前記ハウジング内に位置する複数のセンサを更に備えると共に、前記エンコーダ及びセンサは、閉ループ制御システム内で機能する一組の機械的部品。